(57)【要約】【課題】通帳や引き出しカードに付された磁気ストライプ（ＭＳ）に対して磁気ヘッドを摺動させる構造を採用することで、筐体部の最小化を図ることが可能な端末機器、データ入出力システム及びデータ入出力方法を提供する。【解決手段】操作者により把持される筐体部１と、該筐体部１の外面に設置されかつ磁気領域Ｍがある取引媒体Ｓの一縁部ＳＡに沿って摺動させる直線部４を有するガイド部材２と、筐体部１に設置されかつ取引媒体Ｓの一縁部ＳＡに沿ってガイド部材２の直線部が摺動された際に、該取引媒体Ｓの磁気領域Ｍに対してデータの読取り／書込みをする磁気ヘッド５を有する磁気装置３とを具備する。【選択図】図１
2018174006.tif 000002
【特許請求の範囲】
【請求項１】
操作者により把持される筐体部と、
該筐体部の外面に設置されかつ磁気領域がある取引媒体の一縁部に沿って摺動させる直線部を有するガイド部材と、
前記筐体部に設置されかつ前記取引媒体の一縁部に沿って前記ガイド部材の直線部が摺動された際に、該取引媒体の磁気領域に対してデータの読取り／書込みをする磁気ヘッドを有する磁気装置と、を具備することを特徴とする端末機器。
【請求項２】
前記ガイド部材の直線部と前記磁気ヘッドとは、前記取引媒体の一縁部と該取引媒体内に付されている磁気領域との位置関係に基づき間隔が設定されていることを特徴とする請求項１に記載の端末機器。
【請求項３】
前記ガイド部材は、前記取引媒体の表面に接する板状部材と、該板状部材の端部にて該板状部材とは垂直となる位置関係に設けられたガイド板と、を具備し、
前記ガイド板は、前記取引媒体の一縁部を摺動させる直線部を形成した角部を有してしていることを特徴とする請求項１又は２のいずれか１項に記載の端末機器。
【請求項４】
前記磁気装置は、前記取引媒体の表面に接して回転するローラと、該ローラの回転速度に基づく信号を出力するエンコーダと、該エンコーダでの検出信号に基づき前記磁気ヘッドが磁気領域を読み取った際の磁気データを補正する補正手段とをさらに具備することを特徴とする請求項１〜３のいずれか１項に記載の端末機器。
【請求項５】
前記エンコーダは、前記ローラの回転速度に応じたパルスを出力し、
前記補正手段は、前記エンコーダから出力されたパルス信号に基づき前記磁気ヘッドが磁気領域を読み取った際の磁気データを補正することを特徴とする請求項４に記載の端末機器。
【請求項６】
前記磁気ヘッドとガイド部材の直線部との間には、これらの間隔を調整する間隔調整手段が設けられていることを特徴とする請求項１〜５のいずれか１項に記載の端末機器。
【請求項７】
前記間隔調整手段は、前記磁気ヘッドを、前記ガイド部材の直線部に対して近接又は離間する方向に移動自在に支持することを特徴とする請求項６に記載の端末機器。
【請求項８】
前記間隔調整手段は、前記ガイド部材の直線部を、前記取引媒体の摺動方向と交差する方向に移動自在に支持することを特徴とする請求項６に記載の端末機器。
【請求項９】
前記筐体部には前記磁気ヘッドによる取引媒体の磁気領域に対してデータの読取り／書込みを行わせるためのスイッチが設けられていることを特徴とする請求項１〜８のいずれか１項に記載の端末機器。
【請求項１０】
請求項１〜９のいずれか１項に記載の端末機器と、該端末機器の磁気ヘッドに対してデータの読取り／書込みをさせるデータ処理装置とを有することを特徴とするデータ入出力システム。
【請求項１１】
操作者により把持される筐体部にガイド部材の直線部を設けた上で、取引媒体の一縁部に沿って該ガイド部材の直線部を摺動させることで、前記筐体部に内蔵された磁気ヘッドに対して、該取引媒体の磁気領域からのデータの読取り／該取引媒体の磁気領域へのデータ書込みをすることを特徴とするデータ入出力方法。
【発明の詳細な説明】
【技術分野】
【０００１】
本発明は、銀行等の金融機関で使用される端末機器、データ入出力システム及びデータ入出力方法に関する。
【背景技術】
【０００２】
金融機関で使用される通帳や引き出しカードには、固有情報が記憶された磁気ストライプ（ＭＳ）が付されている。
この磁気ストライプからデータの読取りをするには、一般的にＡＴＭコーナと、カウンターコーナといった２つのエリアが利用される。
引き出しカードは、無人のＡＴＭ装置で扱われることが多いが、一部、大口の取引やカードに不具合がある場合には、有人カウンタータイプの窓口で扱われる。通帳においても、その割合は少ないものの無人のＡＴＭコーナと、有人のカウンターコーナとで取り扱われている。
また、近年では、窓口の有人カウンターではなく、各種商談が可能な応接テーブルの設置が多くなっており、このような応接テーブルにて使用可能な端末機器の開発が進められている。
【０００３】
例えば、有人カウンターで使用される通帳や引き出しカードの端末機器として特許文献１に示される携帯型端末機器が知られている。
特許文献１の携帯型端末機器は、断面がコ字状に形成された搬送路を有する筐体部と、該筐体部のコ字状搬送路内に設けられて通帳等の記録保持片内の情報を読取る読取ヘッドと、を有する構成である。
【先行技術文献】
【特許文献】
【０００４】
【特許文献１】特開平５−３１４２９５号公報
【発明の概要】
【発明が解決しようとする課題】
【０００５】
ところが、特許文献１に示される携帯型端末機器は、テーブル上に筐体部を載置した上で、該筐体部に形成されたコ字状の搬送路内に沿って通帳を通過させる構成であるので、筐体部が大型化し、持ち運びに不便であるという問題がある。
【０００６】
この発明は、上述した事情に鑑みてなされたものであって、通帳や引き出しカードに付された磁気ストライプ（ＭＳ：Magnetic Stripe）に対して、磁気ヘッド側をスライドさせる構造を採用することにより、筐体部の最小化を図ることが可能な端末機器、データ入出力システム及びデータ入出力方法を提供する。
【課題を解決するための手段】
【０００７】
上記課題を解決するために、この発明は以下の手段を提案している。
本発明の第１態様に示される端末機器によれば、操作者により把持される筐体部と、該筐体部の外面に設置されかつ磁気領域がある取引媒体の一縁部に沿って摺動させる直線部を有するガイド部材と、前記筐体部に設置されかつ前記取引媒体の一縁部に沿って前記ガイド部材の直線部が摺動された際に、該取引媒体の磁気領域に対してデータの読取り／書込みをする磁気ヘッドを有する磁気装置と、を具備することを特徴とする。
【０００８】
本発明の第２態様に示されるデータ入出力方法によれば、操作者により把持される筐体部にガイド部材の直線部を設けた上で、取引媒体の一縁部に沿って該ガイド部材の直線部を摺動させることで、前記筐体部に内蔵された磁気ヘッドに対して、該取引媒体の磁気領域からのデータの読取り／該取引媒体の磁気領域へのデータ書込みをすることを特徴とする。
【発明の効果】
【０００９】
本発明によれば、操作者に把持される筐体上のガイド部材を、取引媒体となる通帳又はカードの一縁部に沿って摺動させるだけで、該取引媒体内の磁気領域に対してデータの読取り／書込みをすることができるので、これまでのようなテーブル上に載置する形態の筐体構造が不要となり、全体を小型化することが可能となる。
【図面の簡単な説明】
【００１０】
【図１】本発明の端末機器を示す斜視図である。
【図２】本発明の第１実施形態に係る端末機器を示す斜視図である。
【図３】本発明の第２実施形態に係る端末機器を示す斜視図である。
【発明を実施するための形態】
【００１１】
本発明の最小構成を示す端末機器１００について図１を参照して説明する。
この端末機器１００は、操作者により把持される筐体部１と、該筐体部１の底部に一体に固定されたガイド部材２と、ガイド部材２内に設置された磁気装置３とから構成される。
【００１２】
筐体部１は、操作者により把持及び携帯可能な小型形状を有している。
ガイド部材２は、筐体部１の外面に設置されたものであって、磁気領域Ｍを有する取引媒体Ｓの一縁部ＳＡに沿い摺動可能な直線部４を具備している。
磁気装置３は、筐体部１内に設置されるものであって、取引媒体Ｓの一縁部ＳＡに沿ってガイド部材２の直線部４が摺動された際に、該取引媒体Ｓの磁気領域Ｍに対してデータの読取り／書込みをする磁気ヘッド５を有する。
【００１３】
以上のような端末機器１００の動作について説明する。
まず、デスクＤ上に、磁気領域Ｍが表面に位置するように取引媒体Ｓを載置する。その後、操作者が端末機器１００の筐体部１を把持した状態で、取引媒体Ｓの一縁部ＳＡと同一直線状となるように、ガイド部材２の直線部４を位置させる。
その後、操作者が把持した端末機器１００を矢印ａ方向にスライドさせることで、ガイド部材２に取引媒体Ｓの一縁部ＳＡを引っ掛けつつ、該取引媒体Ｓの一縁部ＳＡに沿ってガイド部材２の直線部４を摺動させ、かつ磁気ヘッド５を取引媒体Ｓの磁気領域Ｍに沿って移動させることができる。
その結果、磁気ヘッド５に対して、取引媒体Ｓの磁気領域Ｍからのデータ読取り／磁気領域Ｍへのデータの書込みを行わせることができる。
【００１４】
以上詳細に説明したように本発明に示される端末機器１００によれば、操作者により把持される筐体部１の外面に直線部４を有するガイド部材２を設ける構成とした。さらに、この筐体部１内に、取引媒体Ｓの一縁部ＳＡに沿って矢印ａ方向にガイド部材２の直線部４が摺動された際に、取引媒体Ｓの磁気領域Ｍに対してデータの読取り／書込みをする磁気ヘッド５を設ける構成とした。
すなわち、本発明の端末機器１００は、操作者に把持される筐体部１上のガイド部材２を、取引媒体Ｓとなる通帳又はカードの一縁部ＳＡに沿って摺動させるだけで、該取引媒体Ｓ内の磁気領域Ｍに対してデータの読取り／書込みをすることができるので、これまでのようなテーブル上に載置する形態の筐体構造が不要となり、全体を小型化することが可能となる。
【００１５】
なお、本発明に係る端末機器１００では、「操作者により把持される筐体部１にガイド部材２の直線部４を設けた上で、取引媒体Ｓの一縁部ＳＡに沿って該ガイド部材２の直線部４を摺動させることで、筐体部１に内蔵された磁気ヘッド５に対して、該取引媒体Ｓの磁気領域Ｍからのデータの読取り／該取引媒体Ｓの磁気領域Ｍへのデータ書込みをすることを特徴とするデータ入出力方法」が適用されている。
【００１６】
（第１実施形態）
本発明の第１実施形態を示す端末機器１０１について図２を参照して説明する。
この端末機器１０１は、操作者により把持される筐体部１１と、該筐体部１１の外面底部に一体に固定されたガイド部材１２と、ガイド部材１２内に設置された磁気装置１３とを基本構成としている。
【００１７】
なお、この端末機器１０１は、通帳又はカードといった取引媒体Ｓ上に付された磁気領域Ｍに対してデータの読取り／書込みをするためのものである。
この磁気領域Ｍは、磁気ストライプにより形成されるものであって、取引媒体Ｓの一縁部ＳＡに平行となるように配置されている。
【００１８】
筐体部１１は、操作者により把持及び携帯可能な小型形状、すなわち、操作者が手に保持して移動させられるコンパクトな大きさである。
ガイド部材１２は、筐体部１１の外面底部に設置されたものであって、磁気領域Ｍがある取引媒体Ｓの一縁部ＳＡに沿って摺動可能な直線部１４を有する。
具体的には、ガイド部材１２は、取引媒体Ｓの表面に接する板状部材２０と、該板状部材２０の端部にて該板状部材２０とは垂直となる位置関係に設けられたガイド板２１と、を具備し、ガイド板２１は、取引媒体Ｓの一縁部ＳＡを摺動させる直線部１４を形成した角部２１Ａを有してしている。
【００１９】
磁気装置１３は、筐体部１１内に設置されるものであって、取引媒体Ｓの一縁部ＳＡに沿ってガイド部材１２の直線部１４が摺動された際に、該取引媒体Ｓの磁気領域Ｍに対してデータの読取り／書込みをする磁気ヘッド１５を有する。
また、この磁気装置１３の磁気ヘッド１５と、ガイド部材１２の直線部１４とは、取引媒体Ｓの一縁部ＳＡと該取引媒体Ｓ内に付されている磁気領域Ｍとの位置関係に基づき間隔（符号ｂで示す）が設定されている。
【００２０】
さらに、磁気装置１３には磁気ヘッド１５で読み取った読取信号を増幅する増幅器１６が設けられている。
この増幅器１６で増幅された読取信号は信号ケーブル１７を通じて外部のデータ処理装置（図示略）に供給される。また、このデータ処理装置からは、信号ケーブル１７を経由して磁気ヘッド１５に対して取引媒体Ｓ内の磁気領域Ｍにデータ書込みを行わせるためのデータ出力がなされる。
そして、本発明の第１実施形態に示される端末機器１０１と外部のデータ処理装置（図示略）とにより、データ入出力システムが構成される。
【００２１】
以上のような端末機器１０１の動作について説明する。
まず、デスクＤ上に、磁気領域Ｍが表面に位置するように一定の厚みを有する取引媒体Ｓを載置する。その後、操作者が端末機器１０１の筐体部１１を把持した状態で、取引媒体Ｓの一縁部ＳＡと同一直線状となるように、ガイド部材１２の直線部１４を位置させる。
ここで、ガイド部材１２の直線部１４と、磁気装置１３の磁気ヘッド１５とは、取引媒体Ｓの一縁部ＳＡと該取引媒体Ｓ内に付されている磁気領域Ｍとの位置関係に基づき間隔（符号ｂで示す）が設定されている。このため、取引媒体Ｓの一縁部ＳＡと同一直線状となるように、ガイド部材１２の直線部１４を位置させるだけで、磁気装置１３の磁気ヘッド１５の先に（矢印ａ方向上に）取引媒体Ｓの磁気領域Ｍが位置することになる。
【００２２】
その後、操作者が把持した端末機器１０１を矢印ａ方向にスライドさせることで、ガイド部材１２のガイド板２１に、一定の厚みを有している取引媒体Ｓの一縁部ＳＡを引っ掛けつつ、取引媒体Ｓの一縁部ＳＡに沿ってガイド部材１２の直線部１４を摺動させることができ、これにより筐体部１１内の磁気ヘッド１５を取引媒体Ｓの磁気領域Ｍに沿って移動させることができる。
その結果、磁気ヘッド１５に対して、取引媒体Ｓの磁気領域Ｍからのデータ読取り／磁気領域Ｍへのデータの書込みを行わせることができる。
【００２３】
以上詳細に説明したように本発明の第１実施形態に示される端末機器１０１によれば、操作者により把持される筐体部１１の外面に直線部１４を有するガイド部材１２を設ける構成とした。さらに、この筐体部１１内に、取引媒体Ｓの一縁部ＳＡに沿って矢印ａ方向にガイド部材１２の直線部１４が摺動された際に、該取引媒体Ｓの磁気領域Ｍに対してデータの読取り／書込みをする磁気ヘッド１５を設ける構成とした。
すなわち、第１実施形態の端末機器１０１は、操作者に把持される筐体部１１上のガイド部材１２を、取引媒体Ｓとなる通帳又はカードの一縁部ＳＡに沿って摺動させるだけで、該取引媒体Ｓ内の磁気領域Ｍに対してデータの読取り／書込みをすることができるので、これまでのようなテーブル上に載置する形態の筐体構造が不要となり、全体を小型化することが可能となる。
【００２４】
（第２実施形態）
本発明の第２実施形態を示す端末機器１０２について図３を参照して説明する。
第２実施形態に示される端末機器１０２が、第１実施形態と構成を異にする点は、磁気装置３０に関する構成である。
【００２５】
この磁気装置３０は、第１実施形態と同様に筐体部１１内に設置されるものであって、取引媒体Ｓの一縁部ＳＡに沿ってガイド部材１２の直線部１４が摺動された際に、該取引媒体Ｓの磁気領域Ｍに対してデータの読取り／書込みをする磁気ヘッド１５を有する。
また、第２実施形態の磁気装置３０では、取引媒体Ｓの表面に接して回転するローラ３１と、該ローラ３１の回転速度に基づく信号を出力するエンコーダ３２と、該エンコーダ３２での検出信号に基づき磁気ヘッド１５が磁気領域Ｍを読み取った際の磁気データを補正する補正手段３３とをさらに具備する。
【００２６】
ローラ３１は、磁気ヘッド１５に隣接配置されたものであって、取引媒体Ｓの一縁部ＳＡに沿って矢印ａ方向にガイド部材１２の直線部１４が摺動された際に、磁気ヘッド１５と同様に、取引媒体Ｓの磁気領域Ｍが通過する位置にある。
また、このローラ３１は、取引媒体Ｓの磁気領域Ｍが通過時に、該磁気領域Ｍに接触しながら回転するものであって、そのローラ面には周方向に沿うように白黒のストライプ（図示略）が付されている。
【００２７】
エンコーダ３２はローラ３１に付されたストライプを光学的に検出するものであって、そのストライプはパルス信号として出力される。
補正手段３３は、エンコーダ３２からのパルス信号が入力されるものであって、単位時間当たりのパルス信号数に基づき、ローラ３１の回転速度を検出するとともに、その検出結果に基づき、磁気ヘッド１５を通過した取引媒体Ｓの磁気領域Ｍの通過速度を算出する。
この補正手段３３は、例えば増幅器１６内に設けられたものであって、取引媒体Ｓの磁気領域Ｍの通過速度に基づき、磁気ヘッド１５で読み取った磁気領域Ｍからの磁気データを補正して適正化する。
なお、本実施形態では、ローラ３１に付されたストライプを光学的に検出することでローラ３１の回転速度を検出したが、これに限定されず、ローラ３１の周方向に沿って一定間隔で磁性体を設置しておき、この磁性体を、エンコーダ３２となる専用の磁気ヘッドで読み取ることで、ローラ３１の回転速度を磁気的に検出しても良い。このとき、専用のエンコーダ３２を設けることなく、取引媒体Ｓの磁気領域Ｍに対して読取り／書込みをする磁気ヘッド１５にて、ローラ３１の周方向に沿って一定間隔で磁性体を同時に読み取るようにしても良い。
【００２８】
以上詳細に説明したように本発明の第２実施形態に示される端末機器１０２によれば、第１実施形態と同様、操作者に把持される筐体部１１上のガイド部材１２を、取引媒体Ｓとなる通帳又はカードの一縁部ＳＡに沿って摺動させるだけで、該取引媒体Ｓ内の磁気領域Ｍに対してデータの読取り／書込みをすることができるので、これまでのようなテーブル上に載置する形態の筐体構造が不要となり、全体を小型化することが可能となる。
【００２９】
また、第２実施形態の端末機器１０２では、磁気装置３０に、取引媒体Ｓの表面に接して回転するローラ３１と、該ローラ３１の回転速度に基づく信号を出力するエンコーダ３２と、該エンコーダ３２での検出信号に基づき磁気ヘッド１５が磁気領域Ｍを読み取った際の磁気データを補正する補正手段３３とを設けている。
これにより、第２実施形態の端末機器１０２では、操作者に把持される筐体部１１上のガイド部材１２の矢印ａ方向へのスライド速度が、操作者毎に異なったとしても、追加で設置したローラ３１、エンコーダ３２及び補正手段３３によって、磁気ヘッド１５が磁気領域Ｍを読み取った際の磁気データを補正することができ、これにより磁気データの適正化が可能となる。
【００３０】
（変形実施例）
〔１〕第２実施形態の端末機器１０２では、ローラ３１、エンコーダ３２及び補正手段３３によって、磁気ヘッド１５が磁気領域Ｍを読み取った際の磁気データを補正した。これに加えて、取引媒体Ｓの磁気領域Ｍに対する磁気ヘッド１５の移動速度が基準値よりも速い又は遅い場合には、補正手段３３を通じて操作者に作業やり直しのための警告信号を発しても良い。
【００３１】
〔２〕上記実施形態の端末機器１０１，１０２では、既知となっている、取引媒体Ｓの一縁部ＳＡと該取引媒体Ｓ内に付されている磁気領域Ｍとの位置関係に基づき、ガイド部材１２の直線部１４と、磁気装置１３の磁気ヘッド１５との間隔（符号ｂで示す）を固定的に設けるようにした。
しかし、これに限定されず、磁気ヘッド１５とガイド部材１２の直線部１４との間に、これらの間隔を調整する間隔調整手段を設けるようにしても良い。
【００３２】
このとき、間隔調整手段にて、筐体部１１内の磁気ヘッド１５を、ガイド部材１２の直線部１４に対して近接又は離間する方向に移動させるようにしても良い。これに限定されず、間隔調整手段にて、ガイド部材１２の直線部１４を、取引媒体Ｓの摺動方向（矢印ａ方向）と交差する方向に移動自在に支持しても良い。
【００３３】
〔３〕上記実施形態の端末機器１０２にて、図３に示されるような、筐体部１１の上面に磁気ヘッド１５による取引媒体Ｓの磁気領域Ｍの読取り／書込みを行わせるためのスイッチ４０を設けても良い。
このスイッチ４０は機器のＯＮ／ＯＦＦのためのものであっても良いし、取引媒体Ｓの一縁部ＳＡに沿って筐体部１１を摺動させる間のみ、操作者に対して指での押圧によりスイッチＯＮとし、このときに、磁気ヘッド１５に対して磁気領域Ｍからのデータ読取り／磁気領域Ｍへのデータ書込みを行わせるようにしても良い。
【００３４】
〔４〕上記実施形態の端末機器１０１，１０２では、信号ケーブル１７を通じて磁気領域Ｍからのデータ読取り／磁気領域Ｍへのデータ書込みを行わせるようにしたが、信号ケーブル１７を廃止して光線、電波など介してを通じて無線でデータ送受信を行うようにしても良い。
【００３５】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３６】
本発明は、銀行等の金融機関で使用される端末機器、データ入出力システム及びデータ入出力方法に関する。
【符号の説明】
【００３７】
１  筐体部
２  ガイド部材
３  磁気装置
４  直線部
５  磁気ヘッド
１１  筐体部
１２  ガイド部材
１３  磁気装置
１４  直線部
１５  磁気ヘッド
３０  磁気装置
３１  ローラ
３２  エンコーダ
１００  端末機器
１０１  端末機器
１０２  端末機器
Ｓ  取引媒体
ＳＡ  一縁部
Ｍ  磁気領域
【図１】
2018174006.tif 000003
【図２】
2018174006.tif 000004
【図３】
2018174006.tif 000005